(57)【要約】    【課題】  接続される光学機器とカメラとの間隔の調整を容易にして、使い勝手を向上させることができる接続器を提供する。    【解決手段】  接続器３を筒状体３Ａと小径部３Ａｂと固定用ねじ４と環状体６とで構成する。筒状体３Ａの大径部３Ａａには接眼レンズ１，２の嵌合部１ｃ，２ｃが挿入される。接眼レンズ１，２の嵌合部１ｃ，２ｃの外周面には固定用ねじ４が入り込む固定溝１ｂ，２ｂが形成されている。大径部３Ａａには大径部３Ａａに形成されたねじ孔３ｇを介して接眼レンズ１，２の固定溝１ｂ、２ｂに挿入される固定用ねじ４がねじ込まれている。小径部３Ａｂは大径部３Ａａと一体に形成されている。小径部３Ａｂは接眼レンズ２のカメラ側端面１ａ，２ａと対向する当接面３ｄを有する。【選択図】  図１
2006235363.tif 000002
【特許請求の範囲】
【請求項１】
カメラと光学機器とを接続する接続器において、
筒状体と、この筒状体に設けられ、前記光学機器を接続させる光学機器接続手段とを有する接続器本体と、
前記筒状体に接続される前記カメラと前記光学機器との間隔を調整する間隔調整手段と
を備えていることを特徴とする接続器。
【請求項２】
前記筒状体は、その内周面に設けられ、前記光学機器の光軸方向の挿入を規制する規制部を有し、
前記間隔調整手段は、前記筒状体に対して着脱可能であって、前記筒状体の規制部と前記光学機器のカメラ側端面との間に配置し得る環状体である
ことを特徴とする請求項１記載の接続器。
【請求項３】
前記環状体は、カメラ側端面に円筒部を有し、
前記円筒部の外周面とこの外周面に対して半径方向で対向する前記筒状体の内周面との一方に第１の溝が形成され、
前記第１の溝に弾性リングが収容され、
前記円筒部の外周面とこの外周面に対して半径方向で対向する前記筒状体の内周面との他方に、前記第１の溝から露出する前記弾性リングの一部を支持する第２の溝が形成されている
ことを特徴とする請求項２記載の接続器。
【請求項４】
前記光学機器接続手段は、前記筒状体に形成されたねじ孔に螺合され、接続の際に締め込まれて前記光学機器の外周面に形成された凹部に挿入される固定用ねじであることを特徴とする請求項１〜３のいずれか１項記載の接続器。
【請求項５】
前記筒状体は、その内周面に設けられ、前記光学機器の光軸方向の挿入を規制する規制部を有し、
前記間隔調整手段は、前記筒状体内に光軸を中心に回転可能に収容される内筒を有し、
前記内筒は、前記光学機器のカメラ側端面と光軸方向で対向するフランジ部を有し、
前記規制部と前記フランジ部との一方に、穴が設けられ、
前記規制部と前記フランジ部との他方に、前記穴と光軸方向で対向するとともに前記穴に挿入可能な突起部が設けられている
ことを特徴とする請求項１記載の接続器。
【請求項６】
前記突起部の数は少なくとも３つであり、それらはほぼ等間隔で配置され、前記穴の数は少なくとも前記突起部と同数である
ことを特徴とする請求項５記載の接続器。
【請求項７】
前記穴の数が前記突起部の数よりも多く、これらの穴には、前記突起部の全体が収まる深さを有する少なくとも前記突起部と同数の深穴と、前記突起部の一部だけが収まる深さを有する少なくとも前記突起部と同数の浅穴とが含まれる
ことを特徴とする請求項５記載の接続器。
【請求項８】
前記内筒は、その周方向へ形成された長孔を有し、
前記光学機器接続手段は、前記筒状体に形成されたねじ孔に螺合され、接続の際に締め込まれて前記光学機器の外周面に形成された凹部に前記長孔を通って挿入される固定用ねじである
ことを特徴とする請求項５〜７のいずれか１項記載の接続器。
【発明の詳細な説明】
【技術分野】
【０００１】
この発明はカメラと光学機器とを接続する接続器に関する。
【背景技術】
【０００２】
従来、カメラと望遠鏡等の光学機器とを接続する接続器が知られている（下記非特許文献参照）。カメラと望遠鏡とは例えばブラケットを介して三脚に取り付けられて使用される。このとき、望遠鏡はブラケットのスライド可能な一方の座に取り付けられ、カメラは回転且つチルト可能な他方の座に取り付けられ、カメラと望遠鏡とは接続器を介して接続される。
【非特許文献１】株式会社ニコンビジョン  ユニバーサルブラケットカタログ  ２００４年３月３日
【発明の開示】
【発明が解決しようとする課題】
【０００３】
接眼レンズを交換した場合、アイレリーフが変化することがあり、このときには接眼レンズとカメラとの間隔を調整しなけえばならない。
【０００４】
ところが、上述の接続器において、接眼レンズとカメラとの間隔を調整する際の望遠鏡取付け座とカメラ取付け座との調整作業は煩雑であり、そのことが使い勝手を悪くする一因になっていた。
【０００５】
この発明はこのような事情に鑑みてなされたもので、その課題は接続される光学機器とカメラとの間隔の調整を容易にして、使い勝手を向上させることである。
【課題を解決するための手段】
【０００６】
上記課題を解決するため請求項１記載の発明は、カメラと光学機器とを接続する接続器において、筒状体と、この筒状体に設けられ、前記光学機器を接続させる光学機器接続手段とを有する接続器本体と、前記筒状体に接続される前記カメラと前記光学機器との間隔を調整する間隔調整手段とを備えていることを特徴とする。
【０００７】
請求項２記載の発明は、請求項１記載の接続器において、前記筒状体は、その内周面に設けられ、前記光学機器の光軸方向の挿入を規制する規制部を有し、前記間隔調整手段は、前記筒状体に対して着脱可能であって、前記筒状体の規制部と前記光学機器のカメラ側端面との間に配置し得る環状体であることを特徴とする。
【０００８】
請求項３記載の発明は、請求項２記載の接続器において、前記環状体は、カメラ側端面に円筒部を有し、前記円筒部の外周面とこの外周面に対して半径方向で対向する前記筒状体の内周面との一方に第１の溝が形成され、前記第１の溝に弾性リングが収容され、前記円筒部の外周面とこの外周面に対して半径方向で対向する前記筒状体の内周面との他方に、前記第１の溝から露出する前記弾性リングの一部を支持する第２の溝が形成されていることを特徴とする。
【０００９】
請求項４記載の発明は、請求項１〜３のいずれか１項記載の接続器において、前記光学機器接続手段は、前記筒状体に形成されたねじ孔に螺合され、接続の際に締め込まれて前記光学機器の外周面に形成された凹部に挿入される固定用ねじであることを特徴とする。
【００１０】
請求項５記載の発明は、請求項１記載の接続器において、前記筒状体は、その内周面に設けられ、前記光学機器の光軸方向の挿入を規制する規制部を有し、前記間隔調整手段は、前記筒状体内に光軸を中心に回転可能に収容される内筒を有し、前記内筒は、前記光学機器のカメラ側端面と光軸方向で対向するフランジ部を有し、前記規制部と前記フランジ部との一方に、穴が設けられ、前記規制部と前記フランジ部との他方に、前記穴と光軸方向で対向するとともに前記穴に挿入可能な突起部が設けられていることを特徴とする。
【００１１】
請求項６記載の発明は、請求項５記載の接続器において、前記突起部の数は少なくとも３つであり、前記穴の数は少なくとも前記突起部と同数であることを特徴とする。
【００１２】
請求項７記載の発明は、請求項５記載の接続器において、前記穴の数が前記突起部の数よりも多く、これらの穴には、前記突起部の全体が収まる深さを有する少なくとも前記突起部と同数の深穴と、前記突起部の一部だけが収まる深さを有する少なくとも前記突起部と同数の浅穴とが含まれることを特徴とする。
【００１３】
請求項８記載の発明は、請求項５〜７のいずれか１項記載の接続器において、前記内筒は、その周方向へ形成された長孔を有し、前記光学機器接続手段は、前記筒状体に形成されたねじ孔に螺合され、接続の際に締め込まれて前記光学機器の外周面に形成された凹部に前記長孔を通って挿入される固定用ねじであることを特徴とする。
【発明の効果】
【００１４】
接続される光学機器とカメラとの間隔の調整を容易にして、使い勝手を向上させることができる。
【発明を実施するための最良の形態】
【００１５】
以下、この発明の実施の形態を図面に基いて説明する。
【００１６】
図１はこの発明の第１実施形態に係る接続器の断面を示す概念図である。
【００１７】
図１において、光軸Ｌより上側はアイレリーフの長い接眼レンズ１の接続時の断面を示し、光軸Ｌより下側はアイレリーフが短い接眼レンズ２の接続時の断面を示す。接眼レンズ１，２が請求項１記載の光学機器に対応する。接眼レンズ１，２には例えば望遠鏡本体等が接続される。
【００１８】
接続器３と例えばデジタルカメラとはデジタルカメラ１１の鏡筒１１ａに形成されたねじ部（図示せず）や三脚固定用のねじ（図示せず）を利用して接続される。
【００１９】
接続器３は筒状体３Ａと固定用ねじ（光学機器接続手段）４と環状体（間隔調整部材）６とを備えている。筒状体３Ａ及び固定用ねじ４で請求項１の接続器本体が構成される。
【００２０】
筒状体３Ａの大径部３Ａａの内径は接眼レンズ１，２の外径より僅かに大きい。大径部３Ａａには接眼レンズ１，２の嵌合部１ｃ，２ｃが挿入される。接眼レンズ１，２の嵌合部１ｃ，２ｃの外周面には固定用ねじ４の先端部が挿入される固定溝（凹部）１ｂ，２ｂが形成されている。固定用ねじ４が大径部３Ａａに形成されたねじ孔３ｇにねじ込まれている。固定用ねじ４には固定用ねじ４の脱落を防止するためのビス脱落防止金具５が取り付けられている。
【００２１】
筒状体３Ａの小径部３Ａｂは大径部３Ａａと一体に形成されている。小径部３Ａｂは接眼レンズ１，２のカメラ側端面１ａ，２ａと対向し、接眼レンズ１，２の挿入を規制する当接面（規制部）３ｄを有する。
【００２２】
図に示すように、環状体６は接眼レンズ１を接続する場合に使用される。異なる光学機器であるそれぞれの接眼レンズ１，２は光学特性が異なる。接続器３に対して接眼レンズ１を接続したときのアイレリーフ（図１のＢ１（後述）とＤ（射出ひとみ）との間の距離Ａ１）は接続器３に対して接眼レンズ２を接続したときのアイレリーフ（図１のＢ２（後述）とＤ）との間の距離Ａ２）より大きい。
【００２３】
接眼レンズ１，２間の光学特性の違いに対応させるために環状体６を筒状体３Ａに対して着脱して、接眼レンズ１，２のカメラ側端面１ａ，２ａと当接面３ｄとの間隔の差を調整する。
【００２４】
環状体６の厚さは接眼レンズ１の最もカメラ側に近いレンズＥＰの曲面の中心と光軸Ｌとの交わる点Ｂ１と射出ひとみＤとの間隔と、接眼レンズ２の最もカメラ側に近いレンズＥＰの曲面の中心と交わる点Ｂ２と射出ひとみＤとの間隔との差に対応する。
【００２５】
接眼レンズ１，２の最もカメラ側に近いレンズＥＰの曲面の中心と光軸Ｌとの交わる点Ｂ１、Ｂ２と、デジタルカメラ１１の撮像光学系の最も被写体に近いレンズＩＰの曲面の中心と光軸Ｌとの交わる点Ｃとの間隔Ａ１，Ａ２は以下のように接眼レンズ１，２毎に導き出される。
【００２６】
接眼レンズ１，２を接続した状態での見掛け視界（接眼倍率×実視界：約７２°）がデジタルカメラ１１のワイド端における画角（例えばワイド端の焦点距離が３８ｍｍのときには約６０°）を含む状態のときのＢ１，Ｂ２とＣとの位置から間隔Ａ１，Ａ２が導き出される（デジタルカメラ１１の画角＜接眼レンズ＋光学機器の見掛け視界）。
【００２７】
なお、Ａ１はアイレリーフの長い方の接眼レンズ１を接続した場合の間隔であり、Ａ２はアイレリーフの短い方の接眼レンズ２を接続した場合の間隔である。
【００２８】
次に、接続器３の使用方法を説明する。
【００２９】
接眼レンズ１とデジタルカメラ１１とを接続するには、接眼レンズ１の嵌合部１ｃを筒状体３Ａの大径部３Ａａに環状体６を介して挿入し、固定用ねじ４を締め込む。
【００３０】
また、接眼レンズ１に代えて接眼レンズ２を接続するには、固定用ねじ４を緩めて接眼レンズ１と環状体６を取り除き、接眼レンズ２のカメラ側端面２ａが筒状体３Ａの小径部３Ａｂの当接面３ｄに密着するように接眼レンズ２の嵌合部２ｃを筒状体３Ａの大径部３Ａａに挿入し、固定用ねじ４を締め込む。
【００３１】
この実施形態によれば、異なる接眼レンズ１，２に交換する際、環状体６の着脱で接眼レンズ１，２とデジタルカメラ１１との間隔を変えられるので、接眼レンズ１，２を交換した場合の接眼レンズ１，２とデジタルカメラ１１との接続作業が簡単になり、使い勝手が向上する。
【００３２】
なお、光学特性の異なる接眼レンズが３つ以上ある場合は、それぞれの接眼レンズに見合う厚みを持った環状体６（又は環状体６に該当するもの）を用意すればよい。
【００３３】
図２はこの発明の第２実施形態に係る接続器の断面を示す概念図であり、第１実施形態と共通する部分には同一符号を付してその説明を省略する。
【００３４】
図２において、光軸Ｌより上側はアイレリーフの長い接眼レンズ１の接続時の断面を示し、光軸Ｌより下側はアイレリーフが短い接眼レンズ２の接続時の断面を示す。
【００３５】
環状体（間隔調整部材）７は、当接面３ｄと当接可能なフランジ部７ａ及び指を引っ掛けるための指掛け部７ｅとを有する環状体本体７Ａと、その環状体本体７Ａのカメラ側端面に一体に形成された円筒部７Ｂとで構成される。円筒部７Ｂは筒状体３Ａの小径部３Ａｂの内周面３ｅと当接可能な外周面７ｂを有する。
【００３６】
環状体７は接眼レンズ１を接続する場合に用いられる。フランジ部７ａは接眼レンズ１，２のカメラ側端面１ａ、２ａと小径部３Ａｂの当接面３ｄとの間に配置され得る。
【００３７】
円筒部７Ｂの外周面には筒状体３Ａの小径部３Ａｂの内周面３ｅと半径方向で対向する溝（第１の溝）７ｃが形成されている。溝７ｃにはＯリング（弾性リング）８が収容されている。Ｏリング８の直径は溝７ｃの深さより大きい。
【００３８】
小径部３Ａｂの内周面３ｅには円筒部７Ｂの外周面と半径方向で対向するＶ溝（第２の溝）３ａが形成されている。フランジ部７ａが当接面３ｄに当接する直前まで接眼レンズ１の嵌合部１ｃを接続器３の大径部３Ａａに挿入したとき、Ｖ溝３ａは溝７ｃと対向する。
【００３９】
次に、接続器３の使用方法を説明する。
【００４０】
接眼レンズ１とデジタルカメラ１１とを接続するには、まず、接眼レンズ１の嵌合部１ｃを筒状体３Ａの大径部３Ａａに環状体７を介して挿入する。このとき、筒状体３Ａの小径部３Ａｂに環状体７の円筒部７Ｂが入り込み、Ｏリング８は圧縮変形する。環状体７のフランジ部７ａが小径部３Ａｂの当接面３ｄに当たる直前まで押し込まれたとき、Ｏリング８の一部が小径部３ＡｂのＶ溝３ａに入り込み、Ｏリング８に加わる圧縮力が解放され、Ｏリング８はほぼ元の形状に戻る。元の形状に戻ったＯリング８の一部はＶ溝３ａ内に収容されるため、環状体７は接続器３に保持される。次に、接続器３の固定用ねじ４を締め込む。
【００４１】
また、接眼レンズ１に代えて接眼レンズ２を接続するには、固定用ねじ４を緩めて接眼レンズ１を引き抜き、その後、環状体７の指掛け部７ｅに指を掛けて環状体７を抜き取る。その後、接眼レンズ２のカメラ側端面２ａが小径部３Ａｂの当接面３ｄに密着するように接眼レンズ２の嵌合部２ｃを筒状体３Ａに挿入し、固定用ねじ４を締め込む。
【００４２】
この実施形態によれば、第１実施形態と同様の効果を奏するとともに、接眼レンズ１を接続器３から取り外したときに環状体７が脱落することがないので、使い勝手がより向上する。
【００４３】
なお、光学特性の異なる接眼レンズが３以上ある場合は、それぞれの接眼レンズに見合う厚みのフランジ部７ａを持った環状体７を用意すればよい。
【００４４】
図３はこの発明の第３実施形態に係る接続器の断面を示す概念図であり、第２実施形態と共通する部分には同一符号を付してその説明を省略する。
【００４５】
図３において、光軸Ｌより上側はアイレリーフの長い接眼レンズ接続時の断面を示し、光軸Ｌより下側はアイレリーフが短い接眼レンズ接続時の断面を示す。
【００４６】
この実施形態は筒状体３Ａの小径部３Ａｂの内周面３ｅに形成した溝（第１の溝）３ｂにＯリング８を収容するとともに、環状体７の外周面にＶ溝（第２の溝）７ｆを形成した点で第１実施形態と相違する。
【００４７】
次に、接続器３の使用方法を説明する。
【００４８】
接眼レンズ１とデジタルカメラ１１とを接続するには、まず、接眼レンズ１の嵌合部１ｃを筒状体３Ａの小径部３Ａｂに環状体７を介して挿入する。このとき、筒状体３Ａの小径部３Ａｂに環状体７の円筒部７Ｂが入り込み、Ｏリング８は圧縮変形する。環状体７のフランジ部７ａが小径部３Ａｂの当接面３ｄに当たる直前まで押し込まれたとき、Ｏリング８の一部が環状体７のV溝7ｆに入り込み、Ｏリング８に加わる圧縮力が解放され、Ｏリング８はほぼ元の形状に戻る。元の形状に戻ったＯリング８の一部はＶ溝７ｆ内に収容されるため、環状体７は接続器３に保持される。次に、接続器３の固定用ねじ４を締め込む。
【００４９】
また、接眼レンズ１に代えて接眼レンズ２を接続するには、固定用ねじ４を緩めて接眼レンズ１を引き抜き、その後、環状体７の指掛け部７ｅに指を掛けて環状体７を引き抜く。その後、接眼レンズ２のカメラ側端面２ａが小径部３Ａｂの当接面３ｄに密着するように接眼レンズ２の嵌合部２ｃを筒状体３Ａに挿入し、固定用ねじ４を締め込む。
【００５０】
この実施形態によれば、第２実施形態と同様の効果を奏する。
【００５１】
なお、光学特性の異なる接眼レンズが３つ以上ある場合は、それぞれの接眼レンズに見合う厚みのフランジ部７ａを持った環状体７を用意すればよい。
【００５２】
図４はこの発明の第４実施形態に係る接続器の断面を示す概念図、図５は操作リングの斜視図であり、第２実施形態と共通する部分には同一符号を付してその説明を省略する。
【００５３】
図４において、光軸Ｌより上側はアイレリーフの長い接眼レンズ接続時の断面を示し、光軸Ｌより下側はアイレリーフが短い接眼レンズ接続時の断面を示す。
【００５４】
操作リング（内筒）９は円筒状であり、外筒３Ａ内に接眼レンズ１，２の光軸を中心に回転可能に収容される。操作リング９の内径は光学機器の接眼レンズ１，２の嵌合部１ｃ、２ｃの外径より僅かに大きい。操作リング９の一端には半径方向内側へ延びるフランジ部９ｄが、他端には半径方向外側へ延びるフランジ部９ａがそれぞれ形成されている。
【００５５】
筒状体３Ａはフランジ部９ｄと光軸方向で対向する当接面３ｄを有する。フランジ部９ｄには筒状体３Ａの当接面３ｄと当接可能な３つのボス（突起部）９ｅが等間隔（１２０°間隔）で形成されている。本実施の形態で間隔調整部材は操作リング９、ボス９ｅ及び穴（穴）３ｆ等で構成される。また、操作リング９の円筒部９ｓにはほぼＬ字形の長孔９ｃが円周方向へ形成されている。長孔９ｃを介して固定用ねじ４のおねじ部４ａが固定溝１ｂに挿入される。ボス９ｅを収容可能な３つの穴３ｆは当接面３ｄにボス９ｅと同間隔に形成されている。
【００５６】
ボス９ｅは接眼レンズ１が接続された場合に使用される。ボス９ｅの厚さは、接眼レンズ１の最もカメラ側に近いレンズＥＰの曲面の中心と光軸Ｌとの交わる点Ｂ１と接眼レンズ１のカメラ側端面１ａとの間隔と、接眼レンズ２の最もカメラ側に近いレンズＥＰの曲面の中心と交わる点Ｂ２と接眼レンズ２のカメラ側端面２ａとの間隔との差に対応する。
【００５７】
次に、接続器３の使用方法を説明する。
【００５８】
接眼レンズ１とデジタルカメラ１１とを接続するには、フランジ部９ａと筒状体３Ａとの間に隙間１０があることを確認し、操作リング９に接眼レンズ１のカメラ側端面１ａがフランジ部９ｄに突き当たるまで挿入する。その後、接続器３の固定用ねじ４で締め込む。
【００５９】
また、接眼レンズ１に代えて接眼レンズ２を接続するには、固定用ねじ４を緩めて接眼レンズ１を引き抜き、操作リング９を所定方向へ回転させる。操作リング９の回転によって接続器３の固定用ねじ４が長孔９ｃの一端部９ｃａから他端部９ｃｂへ相対的に移動する。操作リング９のフランジ部９ｄに配置されたボス９ｅも反時計方向へ移動し、筒状体３Ａの当接面３ｄの穴３ｆにボス９ｅが落ち込む。その結果、接眼レンズ１と接眼レンズ２の挿入深さが変化する。
【００６０】
この実施形態によれば、第１実施形態と同様の効果を奏するとともに、環状体７の取り外しが不要となり、使い勝手がより向上する。
【００６１】
なお、光学特性の異なる接眼レンズが３つ以上ある場合は、筒状体３Ａの当接面３ｄに深さの異なる穴（深穴、浅穴）を３つずつ形成し、長穴９ｃの長さや回転角度を調整することで対応することができる。
【００６２】
また、この実施形態では当接面３ｄにボス穴３ｆを形成し、フランジ部９ｄにボス９ｅを配置したが、当接面３ｄにボスを配置し、フランジ部９ｄにボス穴を形成するようにしてもよい。
【図面の簡単な説明】
【００６３】
【図１】図１はこの発明の第１実施形態に係る接続器の断面を示す概念図である。
【図２】図２はこの発明の第２実施形態に係る接続器の断面を示す概念図である。
【図３】図３はこの発明の第３実施形態に係る接続器の断面を示す概念図である。
【図４】図４はこの発明の第４実施形態に係る接続器の断面を示す概念図である。
【図５】図５は操作リングの斜視図である。
【符号の説明】
【００６４】
１，２  接眼レンズ
１ｂ、２ｂ  固定溝（凹部）  
３  接続器
３ａ，７ｆ  Ｖ溝（第２の溝）
３ｂ，７ｃ  溝（第１の溝）
３ｆ  穴
３ｇ，９ｇ  ねじ孔
４  固定用ねじ（光学機器接続手段）
５  ビス脱落防止金具
６，７  環状体（間隔調整手段）
７Ｂ  円筒部
８  Ｏリング（弾性リング）
９  操作リング（内筒）
９ｄ  フランジ部
９ｅ  ボス（突起部）
１０  隙間
【図１】
2006235363.tif 000003
【図２】
2006235363.tif 000004
【図３】
2006235363.tif 000005
【図４】
2006235363.tif 000006
【図５】
2006235363.tif 000007